(57)【要約】      （修正有）【課題】組立ての便が良く、弾性体の寿命を延長することができるポゴピンコネクターを提供する。【解決手段】ポゴピンコネクター１は、スリーブ１０、プローブ２０、弾性体３０を備え、スリーブ１０は殻体１１を備え、殻体１１底部には封鎖状の底台１２を連接し、底台１２と殻体１１とは、取り囲んで収容設置空間１３を形成し、殻体１１の一端は内側へと屈折して延伸し、ストッパー部１４を形成し、ストッパー部１４は開口部１５を備え、殻体１１の反対端は内側へと延伸し、キャビティ１６１を備えるサポート部１６を形成し、プローブ２０は、スライド部２１と接触部２２を備え、スライド部２１はスリーブ１０内に設置し、接触部２２は開口部１５よりスリーブ１０外へと進出し、弾性体３０はスリーブ１０内に収容され、弾性体３０の一端はプローブ２０に接触し、反対端はサポート部１６のキャビティ１６１内に収容される。【選択図】図１
0003155679.tif 000002
【実用新案登録請求の範囲】
【請求項１】
スリーブ、プローブ、弾性体を備え、
前記スリーブは、殻体を備え、前記殻体底部には、封鎖状の底台を連接し、前記底台と前記殻体とは、取り囲んで、収容設置空間を形成し、前記殻体の一端は、内側へと屈折して延伸し、ストッパー部を形成し、前記ストッパー部は、開口部を備え、前記殻体が連接する底台の反対端は、内側へと延伸し、サポート部を形成し、前記サポート部は、キャビティを備え、
前記プローブは、スライド部、及び前記スライド部より上方へと突出する接触部を備え、前記スライド部は、前記スリーブの殻体内に設置し、前記接触部は、前記開口部より前記スリーブ外へと進出し、前記スライド部の底面は、内側へと窪み、凹槽を形成し、
前記弾性体は、前記スリーブの殻体内に収容され、前記弾性体の一端は、前記スライド部底面の凹槽内に接触し、反対端は、前記キャビティ中に収容されることを特徴とするポゴピンコネクター。
【請求項２】
前記キャビティは、下方へと、前記底台まで延伸することを特徴とする請求項１に記載のポゴピンコネクター。
【考案の詳細な説明】
【技術分野】
【０００１】
本考案はコネクターに関し、特にポゴピンコネクター（Pogo Pin Connector）に関する。
【背景技術】
【０００２】
図２に示すように、従来のポゴピンコネクター１’は、スリーブ１０’、プローブ２０’、弾性体３０’を備える。スリーブ１０’は、殻体１１’を備え、殻体１１’の底部には、封鎖状の底台１２’を連接する。底台１２’と殻体１１’とは、取り囲んで収容設置空間１３’を形成する。殻体１１’の一端は、内側へと屈折して延伸し、ストッパー部１４’を形成する。ストッパー部１４’は、開口部１５’を備える。プローブ２０’は、スライド部２１’、及びスライド部２１’より上方へと突出する接触部２２’を備える。スライド部２１’は、スリーブ１０’の殻体１１’内に設置する。接触部２２’は、開口部１５’より、スリーブ１０’外へと延伸する。スライド部２１’の底面は、内側へと窪み、凹槽２１１’を形成する。弾性体３０’は、スリーブ１０’の収容設置空間１３’内に収容される。
【０００３】
上記した従来のポゴピンコネクター１’は、弾性体３０’の直径が、スリーブ１０’の内径より小さいため、弾性体３０’下端は、スリーブ１０’の底部においてスライドし易く、これにより、弾性体３０’の頂点部は、傾斜状態を呈する。このため、ポゴピンコネクター１’を、殻体１１’の頂点部から装入する時、弾性体３０’が傾斜していることで、弾性体３０’上端は、凹槽２１１’内へと進入しにくくなり、組立ての効率を低下させてしまう。また、ポゴピンコネクター１’は使用の過程において、プローブ２０’が下へと押されると、スリーブ１０’底部は斜面構造であるため、弾性体３０’がスライドし易く、弾性体３０’の湾曲を引き起こしてしまう。こうして、弾性体３０’の性能に影響を及ぼし、弾性体３０’の使用寿命を縮小してしまう。本考案は、従来のポゴピンコネクターの上記した欠点に鑑みてなされたものである。
【考案の概要】
【考案が解決しようとする課題】
【０００４】
本考案が解決しようとする課題は、組立ての便が良く、弾性体の寿命を延長することができるポゴピンコネクターを提供することである。
【課題を解決するための手段】
【０００５】
上記課題を解決するため、本考案は下記のポゴピンコネクターを提供する。
ポゴピンコネクターは、スリーブ、プローブ、弾性体を備え、
該スリーブは、殻体を備え、該殻体底部には、封鎖状の底台を連接し、該底台と該殻体とは、取り囲んで、収容設置空間を形成し、該殻体の一端は、内側へと屈折して延伸し、ストッパー部を形成し、該ストッパー部は、開口部を備え、該殻体が連接する底台の反対端は、内側へと延伸し、キャビティを備えるサポート部を形成し、該キャビティは、下方へと、該底台まで延伸し、
該プローブは、スライド部、及び該スライド部より上方へと突出する接触部を備え、該スライド部は、該スリーブの殻体内に設置し、該接触部は、該開口部より該スリーブ外へと進出し、該スライド部の底面は、内側へと窪み、凹槽を形成し、
該弾性体は、該スリーブの殻体内に収容され、該弾性体の一端は、該スライド部底面の凹槽内に接触し、反対端は、該キャビティ中に収容される。
【考案の効果】
【０００６】
本考案ポゴピンコネクターは、殻体上に設置するサポート部のキャビティにより弾性体底部を固定するため、殻体頂点部からのプローブの装入時に、弾性体の直立を保持することができ、弾性体の下端のスライドによる傾斜を防止可能で、弾性体上端の、プローブ底部凹槽内への進入の便が良く、プローブを殻体に沿って下方へと押す時、弾性体の湾曲程度を低下させることができるため、弾性体の寿命を延長することができる。
【図面の簡単な説明】
【０００７】
【図１】本考案ポゴピンコネクターの断面図である。
【図２】従来のポゴピンコネクターの断面図である。
【考案を実施するための形態】
【０００８】
以下に図面を参照しながら本考案を実施するための最良の形態について詳細に説明する。
【実施例】
【０００９】
図１に示すように、本考案のポゴピンコネクター１は、スリーブ１０、プローブ２０、弾性体３０を備える。
【００１０】
スリーブ１０は、円筒形を呈する殻体１１を備える。殻体１１底部には、封鎖状の底台１２を連接する。底台１２と殻体１１とは、取り囲んで、収容設置空間１３を形成する。殻体１１の一端は、内側へと屈折して延伸し、環状のストッパー部１４を形成する。ストッパー部１４は、開口部１５を備える。殻体１１が連接する底台１２の反対端は、内側へと延伸し、環状のサポート部１６を形成する。サポート部１６は、下方へと延伸し底台１２へと至るキャビティ１６１を備える。
【００１１】
プローブ２０は、円柱形のスライド部２１、及びスライド部２１より上方へと突出する円柱形の接触部２２を備える。スライド部２１は、スリーブ１０の収容設置空間１３内に設置する。しかも、スライド部２１の直径は、ストッパー部１４中の開口部１５の直径より大きいため、スライド部２１は、収容設置空間１３内に係合して設置される。スライド部２１の底面は、内側へと窪み、凹槽２１１を形成する。接触部２２の直径は、開口部１５の直径より小さいため、接触部２２は、スリーブ１０の開口部１５を通過し、スリーブ１０外へと進出する。こうして、接触部２２は、外部の電子部品と電気的に連接する。
【００１２】
弾性体３０は、スリーブ１０の収容設置空間１３内に収容される。弾性体３０の一端は、スライド部２１底面の凹槽２１１内に接触し、反対端は、サポート部１６が取り囲むキャビティ１６１中に収容される。
【００１３】
ポゴピンコネクター１を組み立てる時には、弾性体３０は、スリーブ１０の収容設置空間１３内に収容される。弾性体３０底部は、サポート部１６が取り囲むキャビティ１６１中に収容される。プローブ２０は、殻体１１頂点部から装入されると、殻体１１頂点部を内側へと押し、環状のストッパー部１４を形成し、プローブ２０底部の凹槽２１１と接続する弾性体３０は、上へと向かう弾力を提供する。ストッパー部１４は、プローブ２０のスライド部２１を押さえ、これによりスライド部２１は、収容設置空間１３内に係合して設置される。こうして、プローブ２０とスリーブ１０とは、一体に連接される。
【００１４】
ポゴピンコネクター１を使用する時には、プローブ２０は外力を受け、下方へと移動する。プローブ２０は、下方へと弾性体３０を圧縮し、スライド部２１は、殻体１１内壁に沿って、下方へとスライドする。
【００１５】
本考案のポゴピンコネクター１は、スリーブ１０底部に設置するサポート部１６により、プローブ２０が、殻体１１頂点部から装入される時、サポート部１６のキャビティ１６１は、弾性体３０底部を固定し、弾性体３０の直立を保持し、弾性体３０の下端がスライドし傾斜することを防止する。こうして、弾性体３０の上端が、凹槽２１１内へと進入し、これによりプローブ２０は、殻体１１に沿って、下方へと圧力をかける時に、弾性体３０の湾曲程度を低下させ、こうして弾性体３０の寿命を延長することができる。
【００１６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１７】
本考案は実用新案の要件である新規性を備え、従来の同類製品に比べ十分な進歩を有し、実用性が高く、社会のニーズに合致しており、産業上の利用価値は非常に大きい。
【符号の説明】
【００１８】
１  ポゴピンコネクター
１０  スリーブ
１１  殻体
１２  底台
１３  収容設置空間
１４  ストッパー部
１５  開口部
１６  サポート部
１６１  キャビティ
２０  プローブ
２１  スライド部
２１１  凹槽
２２  接触部
３０  弾性体
【図１】
0003155679.tif 000003
【図２】
0003155679.tif 000004